(57)【要約】【課題】  煩雑な操作なしに所定の選択操作だけで携帯再生装置で視聴途中だったコンテンツを据置き録再装置で視聴継続できるようにすることを目的とする。【解決手段】  録再装置と前記携帯再生装置とを備えており、前記携帯再生装置が前記据置き録再装置に接続された状態で、前記携帯再生装置であるコンテンツが視聴途中だった場合には、前記据置き録再装置においてそのコンテンツと同じコンテンツを選択し、視聴途中のフレーム位置までシークした状態としたのち、そのコンテンツを示す情報を表示してユーザに視聴を継続するかどうかの選択を促し、継続する選択がなされた場合には視聴途中の位置から再生を再開する。【選択図】  図２
2005159439.tif 000002
【特許請求の範囲】
【請求項１】
ＴＶ番組予約録画・再生機能を備えた据置き録再装置と、前記据置き録再装置で録画したコンテンツたるＴＶ番組を転送、格納し、前記据置き録再装置から切り離した状態で、コンテンツを再生する機能を備えた携帯再生装置とを備え、前記据置き録再装置と前記携帯再生装置は、所定の通信手段で接続可能なように構成されており、
前記据置き録再装置と前記携帯再生装置の両者において各コンテンツの視聴状況を管理し、視聴途中の場合には、どこまで視聴したかの情報も管理し、さらに前記携帯再生装置において最後に視聴していたコンテンツがどのコンテンツだったかを示す情報も管理するコンテンツ視聴状況管理手段と、
前記携帯再生装置が前記据置き録再装置に接続されると、前記携帯再生装置におけるコンテンツ視聴状況を示す情報を前記据置き録再装置に転送し、前記据置き録再装置の各コンテンツ管理情報を最新の状態に更新するコンテンツ管理情報更新手段と、
前記携帯再生装置であるコンテンツが視聴途中だった場合には、前記据置き録再装置においてそのコンテンツと同じコンテンツを選択し、視聴途中のフレーム位置までシークした状態としたのち、そのコンテンツを示す情報を表示してユーザに視聴を継続するかどうかの選択を促し、継続する選択がなされた場合には視聴途中の位置から再生を再開するコンテンツ継続再生手段とを備えたことを特徴とする録画再生装置。
【請求項２】
ＴＶ番組予約録画・再生機能を備えた据置き録再装置と、前記据置き録再装置で録画したコンテンツたるＴＶ番組を転送、格納し、前記据置き録再装置から切り離した状態で、コンテンツを再生する機能を備えた携帯再生装置とを備え、前記据置き録再装置と前記携帯再生装置は、所定の通信手段で接続可能なように構成された録画再生装置を用いた録画再生方法であって、
前記据置き録再装置と前記携帯再生装置の両者において各コンテンツの視聴状況を管理し、視聴途中の場合には、どこまで視聴したかの情報も管理し、さらに前記携帯再生装置において最後に視聴していたコンテンツがどのコンテンツだったかを示す情報も管理するコンテンツ視聴状況管理工程と、
前記携帯再生装置が前記据置き録再装置に接続されると、前記携帯再生装置におけるコンテンツ視聴状況を示す情報を前記据置き録再装置に転送し、前記据置き録再装置の各コンテンツ管理情報を最新の状態に更新するコンテンツ管理情報更新工程と、
前記携帯再生装置であるコンテンツが視聴途中だった場合には、前記据置き録再装置においてそのコンテンツと同じコンテンツを選択し、視聴途中のフレーム位置までシークした状態としたのち、そのコンテンツを示す情報を表示してユーザに視聴を継続するかどうかの選択を促し、継続する選択がなされた場合には視聴途中の位置から再生を再開するコンテンツ継続再生工程とを有することを特徴とする録画再生方法。
【発明の詳細な説明】
【技術分野】
【０００１】
本発明は、ＴＶ番組予約録画・再生機能を備えた据置き録再装置と、前記据置き録再装置で録画したＴＶ番組を転送、格納し、前記据置き録再装置から切り離した状態で、コンテンツを再生する機能を備えた携帯再生装置とを備えた録画再生装置及びその録画再生装置を用いた録画再生方法に関する。
【背景技術】
【０００２】
動画・音声などのストリームデータのデジタル圧縮技術の進歩に伴い、動画・音声などのデジタルデータをハードディスク（ＨＤ）、ＤＶＤ、光磁気ディスク（ＭＯ）、ＳＤ／ＭＭＣ／ＣＦ／ＰＣカードなどに記録し、再生する装置が実現可能となってきた。例えば、従来ＴＶ番組を録画・再生するのに一般的に使われてきたビデオデッキに代わって、据置き型のＨＤ録画・再生機、ＤＶＤ録画・再生機（据置き録再装置）などが登場し、またパーソナルコンピュータ（ＰＣ）のＨＤ上にＴＶ番組を録画しそれを再生する機能を持つものも登場してきた。
【０００３】
また、一方ではＰＤＡなどの携帯機器でも動画・音声の再生が可能となりつつあり、例えば、上記ＴＶ録画機能を持ったＰＣで録画したコンテンツを、ＣＦカードなどのリムーバブルメディア、又はＵＳＢなどの接続装置を介してＰＤＡに転送し、それを外出先で視聴するといったことも可能となってきた。
【０００４】
しかし、上記ＰＤＡのような携帯再生装置はその大きさ軽さゆえ記憶容量が犠牲となり、上記ＰＣのような据置き録再装置で録画したコンテンツをすべて格納しておくことができないため、コンテンツを選んで転送することとなる。この選んで転送するといった煩雑な作業を自動化する方式が提案されており、例えばユーザはＴＶ番組の録画予約時にその番組ごとに転送ポリシを指定するだけとし、コンテンツの転送／入れ替えといった作業はすべて自動的に実施される。
【発明の開示】
【発明が解決しようとする課題】
【０００５】
しかしながら、例えば外出先で携帯再生装置を使ってあるコンテンツを視聴していたが、まだ最後まで見終わっていないうちに自宅に帰宅し、より視聴環境の良い据置き録再装置で続きを視聴したいと思った場合、据置き録再装置で視聴したいコンテンツを探し、視聴途中の位置までシークしてから再生しなければならない。
【０００６】
そこで、本発明は、視聴途中のコンテンツのある携帯再生装置を据置き録再装置に接続すると、据置き録再装置において前記視聴途中コンテンツが自動的に選択され、かつ視聴途中の位置まで自動的にシークされ、ユーザはそのコンテンツを視聴途中の位置から視聴再開するかどうかの選択操作だけで視聴を再開できるようにすることを目的とする。
【課題を解決するための手段】
【０００７】
本発明の録画再生装置は、ＴＶ番組予約録画・再生機能を備えた据置き録再装置と、前記据置き録再装置で録画したコンテンツたるＴＶ番組を転送、格納し、前記据置き録再装置から切り離した状態で、コンテンツを再生する機能を備えた携帯再生装置とを備え、前記据置き録再装置と前記携帯再生装置は、所定の通信手段で接続可能なように構成されており、前記据置き録再装置と前記携帯再生装置の両者において各コンテンツの視聴状況を管理し、視聴途中の場合には、どこまで視聴したかの情報も管理し、さらに前記携帯再生装置において最後に視聴していたコンテンツがどのコンテンツだったかを示す情報も管理するコンテンツ視聴状況管理手段と、前記携帯再生装置が前記据置き録再装置に接続されると、前記携帯再生装置におけるコンテンツ視聴状況を示す情報を前記据置き録再装置に転送し、前記据置き録再装置の各コンテンツ管理情報を最新の状態に更新するコンテンツ管理情報更新手段と、前記携帯再生装置であるコンテンツが視聴途中だった場合には、前記据置き録再装置においてそのコンテンツと同じコンテンツを選択し、視聴途中のフレーム位置までシークした状態としたのち、そのコンテンツを示す情報を表示してユーザに視聴を継続するかどうかの選択を促し、継続する選択がなされた場合には視聴途中の位置から再生を再開するコンテンツ継続再生手段とを備えた点に特徴を有する。
【０００８】
本発明の録画再生方法は、ＴＶ番組予約録画・再生機能を備えた据置き録再装置と、前記据置き録再装置で録画したコンテンツたるＴＶ番組を転送、格納し、前記据置き録再装置から切り離した状態で、コンテンツを再生する機能を備えた携帯再生装置とを備え、前記据置き録再装置と前記携帯再生装置は、所定の通信手段で接続可能なように構成された録画再生装置を用いた録画再生方法であって、前記据置き録再装置と前記携帯再生装置の両者において各コンテンツの視聴状況を管理し、視聴途中の場合には、どこまで視聴したかの情報も管理し、さらに前記携帯再生装置において最後に視聴していたコンテンツがどのコンテンツだったかを示す情報も管理するコンテンツ視聴状況管理工程と、前記携帯再生装置が前記据置き録再装置に接続されると、前記携帯再生装置におけるコンテンツ視聴状況を示す情報を前記据置き録再装置に転送し、前記据置き録再装置の各コンテンツ管理情報を最新の状態に更新するコンテンツ管理情報更新工程と、前記携帯再生装置であるコンテンツが視聴途中だった場合には、前記据置き録再装置においてそのコンテンツと同じコンテンツを選択し、視聴途中のフレーム位置までシークした状態としたのち、そのコンテンツを示す情報を表示してユーザに視聴を継続するかどうかの選択を促し、継続する選択がなされた場合には視聴途中の位置から再生を再開するコンテンツ継続再生工程とを有する点に特徴を有する。
【発明の効果】
【０００９】
本発明によれば、携帯再生装置であるコンテンツが視聴途中だった場合には、携帯再生装置を据置き録再装置に接続すると、据置き録再装置でそのコンテンツと同じものが自動的に選択され、視聴途中のフレーム位置までシークされた状態となり、そのコンテンツを示す情報が表示されてユーザに視聴を継続するかどうかの選択が促される。したがって、ユーザは、煩雑な操作なしに「視聴を継続する」という選択操作だけで携帯再生装置で視聴途中だったコンテンツを据置き録再装置で視聴継続できるという効果を奏する。
【発明を実施するための最良の形態】
【００１０】
以下、添付図面を参照して、本発明の好適な実施形態について説明する。図１は本実施形態の録画再生装置のハードウェア構成図である。１はＴＶ番組予約録画・再生機能を備えた据置き録再装置、２は据置き録再装置１で録画したＴＶ番組（コンテンツ）を再生する携帯再生装置、３は据置き録再装置１と携帯再生装置２を接続しデータ通信を可能とする通信ケーブルである。
【００１１】
１０１は据置き録再装置１で本実施形態の処理を実現するソフトウェアを実行するＣＰＵ、１０２は据置き録再装置１で本実施形態の処理を実現するソフトウェアを格納するＲＯＭ、１０３は据置き録再装置１で本実施形態の処理を実現するソフトウェアが利用するメモリであるＲＡＭ、１０４は据置き録再装置１でコンテンツを記録する大容量ハードディスク（ＨＤ）、１０５は据置き録再装置１内部のシステムバス、１０６は携帯再生装置２と通信ケーブル３を介してデータ交換を行なうためのＵＳＢやIEEE1394といった通信装置、１０７は録画されたコンテンツの音声を再生するためのスピーカー、１０８はスピーカー１０７にアナログ音声を出力するためのサウンドコントローラ、１０９はコンテンツの動画映像を再生するためのＣＲＴやＬＣＤなどのディスプレイ、１１０はディスプレイ１０９に画像を出力するビデオＲＡＭ等を内蔵したビデオコントローラ、１１１はユーザからのコンテンツ指定、再生、停止、早送り、早戻しなどの操作、またＴＶ番組予約設定操作を入力するための入力デバイス、１１２はＴＶ放送を受信するＴＶチューナーユニット、１１３はチューナーユニット１１２で受信したデータをデジタルデータに変換するキャプチャユニットである。
【００１２】
２０１は携帯再生装置２で本実施形態の処理を実現するソフトウェアを実行するＣＰＵ、２０２は携帯再生装置２で本実施形態の処理を実現するソフトウェアを格納するＲＯＭ、２０３は携帯再生装置２で本実施形態の処理を実現するソフトウェアが利用するメモリであるＲＡＭ、２０４は携帯再生装置２で再生用コンテンツを保存しておく小容量ハードディスク（ＨＤ）、２０５は携帯再生装置２内部のシステムバス、２０６は据置き録再装置１と通信ケーブル３を介してデータ交換を行なうためのＵＳＢやIEEE1394といった通信装置、２０７はコンテンツの音声を再生するためのヘッドホン、２０８はヘッドホン２０７にアナログ音声を出力するためのサウンドコントローラ、２０９はコンテンツの動画映像を再生するためのＬＣＤなどの小型ディスプレイ、２１０はディスプレイ２０９に画像を出力するビデオＲＡＭ等を内蔵したビデオコントローラ、２１１はユーザからのコンテンツ指定、再生、停止、早送り、早戻しなどの操作を入力するための入力デバイスである。
【００１３】
据置き録再装置１については、汎用ＰＣを利用した形態で実現しても構わないし、従来のＨＤ録画・再生器のような専用機の形態で実現しても構わない。例えば、専用機の形態で実現した場合などでは、従来のビデオデッキなどと同様にNTSCなどのビデオ信号で映像を出力し、ＴＶやモニタ装置をディスプレイとして用いて再生するような構成であっても構わない。
【００１４】
また、ＲＯＭ１０２、ＲＯＭ２０２に本実施形態の処理を実現するソフトウェアを格納するのではなく、ＨＤ１０４やＨＤ２０４などの二次記憶装置からＲＡＭ１０３、ＲＡＭ２０３にロードして実行する形態であっても、またＲＯＭ１０２、ＲＯＭ２０２に格納してあるソフトウェアをＲＡＭ１０３、ＲＡＭ２０３に展開してから実行する形態であっても構わない。
【００１５】
入力デバイス１１１は、装置本体に再生ボタン、停止ボタンのようなボタンデバイスを用意しても構わないし、リモコンやマウスのようなデバイスを用意し、メニューや操作パネルをディスプレイ１０９に表示したＧＵＩで実現しても構わない。入力デバイス２１１についても同様に、装置本体に再生ボタン、停止ボタンのようなボタンデバイスを用意しても構わないし、デジタイザのようなデバイスを用意し、メニューや操作パネルをディスプレイ２０９に表示したＧＵＩで実現しても構わない。
【００１６】
据置き録再装置１と携帯再生装置２との接続に関しては、RS232CやＵＳＢやIEEE1394などの有線接続であってもIrDAやBluetoothや無線ＬＡＮなどの無線接続であっても構わない。ただし、高速転送が可能で電源を投入した状態のままでも抜き差しできることが望ましい。また、据置き録再装置１と携帯再生装置２を直接接続するのではなく、クレードルを介して接続する形態で実現しても構わない。
【００１７】
また、ＨＤ２０４はフラッシュメモリなどのシリコンデバイスで構成されていても構わない。また、ＨＤ１０４やＨＤ２０４は、ＰＣで一般的に用いられているＦＡＴファイルシステムでフォーマットされていても構わないし、ＦＡＴファイルシステム以外の、例えば独自のファイルシステムであっても構わない。複数のコンテンツ、そして、コンテンツ以外の管理用の情報等も格納でき、それらを指定して個々にリード／ライトアクセスできるのであればどのようなデータ構造であっても構わない。本実施形態では、もっとも一般的な方式であるファイル名（パス名）でファイルを指定してアクセスするＦＡＴファイルシステムのようなファイルシステムを例として説明する。
【００１８】
また、据置き録再装置１と携帯再生装置２での再生用コンテンツの圧縮方式は、一般的に用いられているMPEG-2やMPEG-4などで良く、据置き録再装置１と携帯再生装置２で同じ圧縮方式であっても、据置き録再装置１と携帯再生装置２でそれぞれに適した異なる圧縮方式であっても構わない。本実施形態では、説明を簡略化するために、据置き録再装置１と携帯再生装置２で同じ圧縮方式を用いた場合を例として説明する。
【００１９】
据置き録再装置１で行なわれる圧縮伸長処理に関しては、専用のハードウェアで行なっても、ＣＰＵ１０１でソフトウェアで行なっても構わない。携帯再生装置２で行われる伸長処理に関しても専用のハードウェアで行なっても、ＣＰＵ２０１でソフトウェアで行なっても構わない。
【００２０】
また、本実施形態では、据置き録再装置１は自宅等のある部屋に設置して利用し、携帯再生装置２は外出先又は自宅内の前記設置部屋以外の場所で利用することを想定している。据置き録再装置１にディスプレイ１０９、スピーカー１０７を装備し、据置き録再装置１でもコンテンツを視聴可能としている。つまりユーザは据置き録再装置１の近くにいるときは、より視聴環境の良い据置き録再装置１でコンテンツを視聴し、据置き録再装置１の近くにいないときは、持ち出した携帯再生装置２でコンテンツを視聴する、ということを想定している。また、携帯再生装置２を利用しないときは据置き録再装置１と接続した状態とし、携帯再生装置２でコンテンツを視聴する場合には、据置き録再装置１と切り放した状態で視聴することを想定している。
【００２１】
ユーザはＴＶ番組の録画予約時に、その番組ごとに据置き録再装置１から携帯再生装置２へのコンテンツ転送ポリシを設定する。この転送ポリシについて以下で説明する。従来のビデオデッキやＨＤ録画・再生機でＴＶ番組の録画予約を行なう場合は、以下のようなパラメータを設定していた。
(p1) チャンネル： 1ch 〜
(p2) 日付：  ？年？月？日／毎週？曜日／毎日／月〜土／月〜金
(p3) 時間：  ？？時？？分 から ？？時？？分 まで
(p4) 録画モード： 高画質／標準／長時間 など
これらを４〜８件程度予約できるのが一般的である。本実施形態では予約件数を４件として説明する。なお、 (p4)録画モード とは、据置き録再装置１用コンテンツの品質を表わし、高画質：6Mbps、標準：4Mbps、長時間：3Mbpsなどとなる。
【００２２】
本実施形態では、上記のような従来からのパラメータの他にコンテンツ転送ポリシに関する以下のようなパラメータを設定する。
(p5) 視聴装置：「据置き録再装置１」／「携帯再生装置２」
コンテンツをどちらの装置で視聴する予定かを指定する。「据置き録再装置１」、「携帯再生装置２」が選択可能となる。前述のように本実施形態では据置き録再装置１でも再生可能なので、「携帯再生装置２」とした場合でも据置き録再装置１で視聴できることを前提とする。このパラメータで「携帯再生装置２」とした場合にのみ、そのコンテンツの転送ポリシに基づいて転送処理を行なうことになる。したがって、以下に示すパラメータは、本パラメータで「携帯再生装置２」を指定したコンテンツに対してだけ意味を持つことになる。
【００２３】
(p6) オーバーライト：「Yes」／「No」
このパラメータは、従来のパラメータ (p2)日付 で毎週／毎日／月〜土／月〜金といった連続指定を行なったコンテンツに対してのみ意味がある。「Yes」と「No」の指定があり、「No」とした場合には、携帯再生装置２内に前回分のコンテンツが存在し、かつまだ視聴終了していなければ、オーバーライトしてまで次回分を転送しようとはしない。この設定は例えば連続ドラマなどに適している。「Yes」とした場合には、たとえ前回分を視聴し終わっていなくてもどんどん最新分をオーバーライトして転送していく。この設定は例えばニュース番組などに適している。また、「Yes」とした場合、最新の何回分を残しておくかを指定可能としても構わない。例えば「２回」と指定した場合には、常に最新の２回分は携帯再生装置２に入った状態になるように転送処理が行なわれる。本実施形態では説明を簡単にするため、この回数を「１回」と固定した場合を例として説明する。
【００２４】
(p7) 優先度：「1」／「2」／「3」／「4」
携帯再生装置２の容量が小さいため、転送指定した番組をすべて転送できない可能性がある。そのようなとき、どのコンテンツを優先して転送するかその度合いを本パラメータで指定する。本実施形態では予約件数を４件としているので優先度も１〜４の４段階とし、１をもっとも高い優先度として扱うことにする。例えば、スポーツ中継番組やニュース番組のように即時性が重要なコンテンツは高い優先度、週一のドラマのように一週間以内だったらいつ視聴しても良いようなものは中程度の優先度、不定期の映画番組のようないつ視聴しても構わないようなものは低い優先度、といった利用が考えられる。
【００２５】
据置き録再装置１では、録画予約情報や録画済みコンテンツを管理するためのテーブル（録画予約管理テーブル、コンテンツ管理テーブル）を保持しておく必要がある。これらの情報は電源が落ちても消えてはいけない情報であるため、ＨＤ１０４の中のファイル、例えば schedule.tab、contents.tabを生成し、それぞれ格納しておくものとする。
【００２６】
ファイルschedule.tabには、図２のような前述のパラメータ情報を反映した内容が格納されることになる。
【００２７】
ファイル contents.tabには、図３のような管理情報が格納されることになる。前述のパラメータ(p2)日付で「毎週？曜日」、「毎日」、「月〜土」、「月〜金」のように連続指定をしたコンテンツに関しては、複数回録画されていてもまとめて一つのエントリで管理している。各エントリには録画予約時に設定した各パラメータ情報などが格納されている。
【００２８】
また、個々のコンテンツ情報に関しては、別のファイル（コンテンツ情報ファイル）でそれぞれ管理しており、そのファイル名が各エントリに格納されている。
【００２９】
各エントリに格納される情報を以下に示す。
(e1) エントリ番号
個々のエントリを特定するためのユニークな番号
(e2) チャンネル： 1ch 〜
録画予約パラメータ(p1)と同じ。
(e3) 日付： ？年？月？日／毎週？曜日／毎日／月〜土／月〜金
録画予約パラメータ(p2)と同じ。
(e4) 時間： ？？時？？分 から ？？時？？分 まで
録画予約パラメータ(p3)と同じ。
(e5) 視聴装置：「据置き録再装置１」／「携帯再生装置２」
録画予約パラメータ(p5)と同じ。
(e6) オーバーライト：「Yes」／「No」
録画予約パラメータ(p6)と同じ。
(e7) 優先度：「1」／「2」／「3」／「4」
録画予約パラメータ(p7)と同じ。
(e8) コンテンツ情報ファイル名
コンテンツ情報ファイルをリンクするための情報。
【００３０】
コンテンツ情報ファイルのファイル名は、それぞれユニークなものにするため、録画開始日時などから自動生成する。例えば、2001年09月11日の13:00から録画開始したコンテンツであれば、200109111300.infといったファイル名にすれば良い。また、以下の説明中では、前述のファイル名の拡張子（.inf）を除いた名前（200109111300）をコンテンツ名と呼ぶことにする。
【００３１】
コンテンツ情報ファイルには以下のような情報が格納されている。
(c1) コンテンツ格納場所：「据置き録再装置１」／「据置き録再装置１と携帯再生装置２」
現在のコンテンツ格納場所を示す。
(c2) 視聴状況：「未視聴」／「視聴途中」／「視聴終了」
その時点での視聴状況を示す。
(c3) 視聴ポイント
視聴開始してからの時間又はフレーム番号などその時点での視聴ポイントを示す。
(c4) コンテンツ情報ファイル名
連続指定で録画されたコンテンツの場合、複数個のコンテンツをリンクして管理する。そのため、必要な場合は次の回のコンテンツ情報ファイル名がここに格納される。
【００３２】
コンテンツの実体となるMPEG-2といったデータもファイル（コンテンツデータファイル）として管理する。
【００３３】
ファイル名はコンテンツ情報ファイルと同様に録画開始日時などから自動生成して、コンテンツ情報ファイルと一対一対応する。例えば、コンテンツ情報ファイル名が200109111300.infであればコンテンツデータファイル名は 200109111300.mpgとする。
【００３４】
一方、携帯再生装置２でも、据置き録再装置１から転送され現在格納されているコンテンツを管理するために、据置き録再装置１と同様に、コンテンツ情報ファイルが必要となる。ただし、携帯再生装置２では、携帯再生装置２の中に格納されているコンテンツのみを管理すれば良いので、格納されているコンテンツデータファイルに対するコンテンツ情報ファイルだけで十分となり、コンテンツ管理テーブルは不要となる。携帯再生装置２で管理するコンテンツ情報ファイル名に関しては、コンテンツデータファイル名と同様に、据置き録再装置１と同じ名前で管理する。ただし、必要となる情報が据置き録再装置１のコンテンツ情報ファイルとは異なり以下のようになる。
(C1) エントリ番号
リンクもとのコンテンツ管理テーブルのエントリ番号を示す。
(C2) 優先度：「1」／「2」／「3」／「4」
コンテンツの優先度を示す。
(C3) 視聴状況：「未視聴」／「視聴途中」／「視聴終了」
その時点での視聴状況を示す。
(C4) 視聴ポイント
視聴開始してからの時間又はフレーム番号などその時点での視聴ポイントを示す。
【００３５】
携帯再生装置２で最後に視聴していたコンテンツを特定する情報を、据置き録再装置１と携帯再生装置２それぞれで管理する。これらの情報を管理するファイルである最終視聴コンテンツ情報ファイル lastcontents.infをＨＤ１０４、ＨＤ２０４にそれぞれ格納する。最終視聴コンテンツ情報ファイル lastcontents.inf の中には以下のような情報が格納される。
(L1) 携帯再生装置２最終視聴コンテンツ名
携帯再生装置２で最後に視聴していたコンテンツのコンテンツ名を格納する。
【００３６】
次に、据置き録再装置１での録画予約時の処理、録画開始／終了時の処理について説明する。基本的な処理は従来のＨＤ録画・再生機などでＴＶ番組の録画予約を行なうときの処理と同様であり、ユーザからの操作を入力デバイス１１１で受取り、ユーザが入力した各種パラメータを前述の録画予約管理テーブルに設定し、もっとも近い時間に内部タイマを設定する、といった処理を行なう。特徴的なことは、ユーザが入力するパラメータに、従来はなかった (p5)視聴装置 、 (p6)オーバーライト 、 (p7)優先度 が増えているという点であり、これらの値も前述の録画予約管理テーブルに設定する処理を追加する必要がある。
【００３７】
次に、設定した内部タイマが満期になり録画を開始／終了するときの処理について説明する。これらの処理についても、基本的な処理は従来のＨＤ録画・再生機などでの録画開始／終了処理と同様であり、録画開始時に、チューナーユニット１１２のチャネルを指定されたチャネルに変更し、チューナーユニット１１２で受信したデータをキャプチャユニット１１３でデジタルデータに変換／圧縮し、ＨＤ１０４上に生成したコンテンツデータファイルに書き込んでいく。録画終了時には、コンテンツデータファイルをクローズし、録画予約管理テーブルを更新してからもっとも近い時間に内部タイマを設定する、といった処理を行なう。こうした従来からの処理に加え、録画したコンテンツに対応するコンテンツ情報ファイルを生成し、コンテンツ管理テーブルへの登録などの処理を行なう。生成したコンテンツ情報ファイルには以下のように設定する。 (c1)コンテンツ格納場所 には「据置き録再装置１」、 (c2)視聴状況 には「未視聴」、 (c3)コンテンツ情報ファイル名 にはヌル文字列を設定する。
【００３８】
録画予約パラメータのうち (p2)日付 が、ある一日を特定していた場合には、コンテンツ管理テーブルにエントリを追加し、上記コンテンツ情報ファイルを (e8)コンテンツ情報ファイル名 でリンクする。その他の (e2)チャンネル 、 (e3)日付 、 (e4)時間 、 (e5)視聴装置 、 (e7)優先度 は録画予約パラメータからコピーする。 (e6)オーバーライト はこの場合意味がないので設定しない。
【００３９】
一方、 (p2)日付 が、「毎週」や「毎日」のように連続指定されていた場合には、すでにコンテンツ管理テーブルに登録されている可能性があるので、各エントリの内容と録画予約パラメータとを比較し、同じ内容のものを探す。みつかった場合には、そのエントリのリンクの末尾に生成したコンテンツ情報ファイルをリンクする。みつからなかった場合には、エントリを追加し、生成したコンテンツ情報ファイルを (e8)コンテンツ情報ファイル名 でリンクする。その他の設定はすべて録画予約パラメータからコピーして設定する。
【００４０】
次に、本実施形態の特徴となる処理の流れについて以下で説明する。まず、携帯再生装置２におけるコンテンツ再生処理について説明する。携帯再生装置２では、後述するコンテンツの自動転送処理により据置き録再装置１から転送された複数のコンテンツの中から任意のコンテンツがユーザからの指示により再生されることになる。ＨＤ２０４に格納されている複数のコンテンツは前述のようにそれぞれのコンテンツ情報ファイルにより管理されている。
【００４１】
そして、据置き録再装置１から転送されたばかりで一度も再生されていないコンテンツの場合は、対応するコンテンツ情報ファイルの (C3)視聴状況 を「未視聴」と設定し、ユーザの指示により再生が開始されると「視聴途中」と設定し、最後まで再生すると「視聴終了」と設定する。また、再生途中で停止したり、またその後他のコンテンツに切り替えたりした場合などは「視聴途中」と設定されたままとなる。また、コンテンツ再生を途中で停止した場合には、その途中の位置を示す情報（時間やフレーム番号など）を対応するコンテンツ情報ファイルの (C4)視聴ポイント に記録する。また、あるコンテンツの再生が開始されると、ＨＤ２０４内の最終視聴コンテンツ情報ファイルlastcontents.infの (L1)携帯再生装置２最終視聴コンテンツ名 を、再生を開始したコンテンツのコンテンツ名に設定する。
【００４２】
次に、ユーザが外出中に携帯再生装置２を利用してコンテンツを視聴し、帰宅後に携帯再生装置２を据置き録再装置１に接続したときの処理の流れについて説明する。なお、両者を接続すると自動的に両者の電源が入りそれぞれの装置に格納されているプログラムがそれぞれのＣＰＵ、ＲＯＭ、ＲＡＭを使って動作を開始するように実装していても、またユーザが据置き録再装置１、携帯再生装置２のいずれかの電源を入れると両者の電源が入りプログラムが処理を開始する方式で実装していても構わない。本実施形態では、両者を接続すると自動的に両者の電源が入り、プログラムが処理を開始する方式で説明する。なお、このとき両者の内部的な電源が入り処理が自動開始されるものの、ユーザから見える見た目の電源はまだ入っていない状態、つまり一般的なビデオデッキのようにコンソール画面や入力デバイス１１１のガイドライトのようなものがあったとしたら、それらがまだ消灯した状態として以下の処理を開始する。
【００４３】
大きな処理の流れとしては、まずは携帯再生装置２から据置き録再装置１にコンテンツの視聴状況を示す情報を転送することで据置き録再装置１のコンテンツの管理情報を最新の状態に更新する処理を行なう。それが終了したら次に据置き録再装置１において視聴途中コンテンツの継続再生処理を実行すると平行してコンテンツの自動転送処理を行なう。
【００４４】
このように２種類の処理を平行処理するためには、一般的には、複数の処理を並行実行可能とするマルチタスク機構を備えたリアルタイムＯＳを利用し、継続再生処理と自動転送処理をそれぞれ独立したタスクで実行するようにする。しかも、継続再生処理が自動転送処理により阻害されてはいけないので、継続再生処理タスクの実行優先度を自動転送処理タスクよりも高くしておく必要がある。
【００４５】
まずは据置き録再装置１のコンテンツの管理情報を最新の状態に更新する処理の流れについて、図４のフローチャートを用いて説明する。まず、携帯再生装置２が接続処理を開始すると、ステップＳ１０１でＨＤ２０４に格納されている複数のコンテンツ情報ファイルを順番に読み出し、該当ファイルがある間はステップＳ１０２からステップＳ１０３に進み、なくなればステップＳ１１１に進む。
【００４６】
ステップＳ１０３に進むと、選ばれたコンテンツ情報ファイルのコンテンツ名、 (C3)視聴状況 、 (C4)視聴ポイント を据置き録再装置１に通知する。
【００４７】
次に、通知を受け取った据置き録再装置１はステップＳ１０４で、ＨＤ１０４に格納されている、通知されたコンテンツ名に対応するコンテンツ情報ファイルの情報のうち (c2)視聴状況 、 (c3)視聴ポイント を更新する。
【００４８】
次に、据置き録再装置１はステップＳ１０５で、更新された (c2)視聴状況 が「視聴終了」かどうかを調べ、「視聴終了」であればステップＳ１０６からステップＳ１０７へ、「視聴終了」でなければステップＳ１０６からステップＳ１０８へ進む。ステップＳ１０７では、対応するコンテンツ情報ファイルの (c1)コンテンツ格納場所 を更新する処理を行なう。「視聴終了」であった場合は、携帯再生装置２で視聴が終了した、そして携帯再生装置２から削除されることを意味しているので、対応するコンテンツ情報ファイルの (c1)コンテンツ格納場所 も更新する必要がある。つまり、(c1)コンテンツ格納場所 が「据置き録再装置１と携帯再生装置２」となっていたら「据置き録再装置１」に更新する。
【００４９】
次に携帯再生装置２は、ステップＳ１０８で、対象コンテンツの (C3)視聴状況 が「視聴終了」かどうを調べ、「視聴終了」であればステップＳ１０９からステップＳ１１０に進みステップＳ１１０の処理を行なってからステップＳ１０１に戻り、「視聴終了」でなければそのままステップＳ１０１に戻る。ステップＳ１１０では、対象コンテンツのコンテンツ情報ファイル、コンテンツデータファイルを削除する処理を行なう。
【００５０】
最後に携帯再生装置２はステップＳ１１１で、ＨＤ２０４に格納されている最終視聴コンテンツ情報ファイルlastcontents.infにある (L1)携帯再生装置２最終視聴コンテンツ名 を据置き録再装置１に通知する。通知を受け取った据置き録再装置１はステップＳ１１２で、ＨＤ１０４に格納されている最終視聴コンテンツ情報ファイルlastcontents.infの内容を更新する。
【００５１】
以上でコンテンツ管理情報の更新処理が終了となる。コンテンツ管理情報の更新処理が終了すると、前述したように、携帯再生装置２で視聴途中だったコンテンツを据置き録再装置１で視聴再開するための継続再生処理と、コンテンツの自動転送処理を平行して実行する。
【００５２】
まず、継続再生処理の流れについて図５のフローチャートを用いて説明する。据置き録再装置１は、ステップＳ２０１で更新された最終視聴コンテンツ情報ファイルlastcontents.infの内容（コンテンツ名）を読み出し、対応するコンテンツ情報ファイルの (c2)視聴状況を確認し、「視聴途中」かどうか判断する。「視聴途中」であればステップＳ２０３に進み、「視聴途中」でなければ継続再生処理は終了となり、ユーザからの次の操作待ち状態となる。
【００５３】
据置き録再装置１は、ステップＳ２０３に進むと据置き録再装置１の見た目の電源を入れ、ステップＳ２０４で、携帯再生装置２において視聴途中だったコンテンツの情報をディスプレイ１０９に表示する。このとき表示する情報としては、録画したチャネルと日時などのテキスト情報、対象コンテンツをどのくらいまで視聴したかを示す時間・割合情報、最後に再生したフレーム（静止画）、最後に再生した数フレーム（２，３秒の動画）などのいずれか、又はいずれかの組み合わせであって構わない。
【００５４】
次にステップＳ２０５で、ダイアログ等でメッセージを表示してユーザの操作を促し、ユーザ操作を待つ。表示するメッセージとしては、「視聴途中のコンテンツを継続再生しますか？」といった内容で、通常の再生ボタンで「継続再生する」、通常の停止ボタンで「継続再生しない」といった操作を促しても構わないし、専用の「ＯＫ」、「キャンセル」のようなボタンを設け、その操作を促しても構わない。
【００５５】
次にステップＳ２０６で、ユーザからの操作を解釈し、「継続再生する」であったならステップＳ２０７からステップＳ２０８に進み、「継続再生しない」であったなら継続再生処理は終了となり、ユーザからの次の操作待ち状態となる。
【００５６】
ステップＳ２０８に進むと、対応するコンテンツデータファイルをオープンし、ステップＳ２０９で対応するコンテンツ情報ファイル中の (c3)視聴ポイント を読み出し、対応するフレームまでシークする。最後にステップＳ２１０で、シーク後のポイントから随時データを読み出して再生処理を開始して継続再生処理は終了となり、ユーザからの次の操作待ち状態となる。
【００５７】
次に上述したコンテンツの自動転送処理の流れについて、図６のフローチャートを用いて説明する。据置き録再装置１は、ステップＳ３０１で転送候補のコンテンツを選択する。まずは、コンテンツ管理テーブルの各エントリを調べ、 (e5)視聴装置 で「携帯再生装置２」となっているエントリを (e7)優先度 の高いものから順に調査していく。そして次に、対象エントリからリンクされているコンテンツ情報ファイルを調査する。このとき、エントリの (e6)オーバーライト が「Yes」だった場合には、リンクの末尾のものつまり最新のコンテンツだけを調査し、 (c1)コンテンツ格納場所 が「据置き録再装置１」となっていればそのコンテンツを転送候補として選択する。一方、エントリの (e6)オーバーライト が「No」だった場合には、リンクされているコンテンツ情報ファイルを、リンクされている順つまり古いものから順に調べ、(c1)コンテンツ格納場所 が「据置き録再装置１」となっているコンテンツを順番に転送候補として選択していく。ステップＳ３０１で転送候補のコンテンツがみつかれば、ステップＳ３０２からステップＳ３０３に進み、みつからなければ終了となる。
【００５８】
次に据置き録再装置１は、ステップＳ３０３で、転送候補のコンテンツに関する情報、コンテンツデータファイルサイズ、エントリ番号、優先度、オーバーライト指定を携帯再生装置２に通知し、携帯再生装置２からの返答通知を待つ。
【００５９】
通知を受け取った携帯再生装置２は、ステップＳ３０４で、転送候補のコンテンツをＨＤ２０４に格納可能かどうか判断する。オーバーライト指定が「Yes」だった場合には、コンテンツ情報ファイルを順に調べ、 (C1)エントリ番号 が通知されたエントリ番号と一致するコンテンツを探す。みつかった場合には、みつかったコンテンツのコンテンツ情報ファイル、コンテンツデータファイルをオーバーライト処理のために削除する。この場合、ファイルを削除したことにより空いた領域に、転送候補のコンテンツを格納することが可能となるので「格納可能」と据置き録再装置１に通知する。一方、オーバーライト指定が「No」だった場合には、まず現在のＨＤ２０４の残り容量と通知されたコンテンツデータファイルサイズとを比較し、残り容量の方が大きければ「格納可能」と据置き録再装置１に通知する。残り容量の方が小さければ以下の領域確保処理を行ないその結果を据置き録再装置１に通知する。
【００６０】
ＨＤ２０４にあるコンテンツ情報ファイルを順に調べ、通知された優先度よりも低いコンテンツのコンテンツデータファイルサイズを優先度の低いものから順番に合計していき、通知されたコンテンツデータファイルサイズよりも大きくなった時点で、それらのコンテンツデータファイル及びコンテンツ情報ファイルを削除する。この場合、ファイルを削除したことにより空いた領域に、転送候補のコンテンツを格納することが可能となるので「格納可能」と据置き録再装置１に通知する。しかし、受け取った優先度よりも低いすべてのコンテンツのコンテンツデータファイルサイズを合計しても通知されたコンテンツデータファイルサイズよりも小さかった場合には、上記のファイル削除処理は行なわずに、「格納不可能」と据置き録再装置１に通知する。
【００６１】
携帯再生装置２からの返答通知を受け取った据置き録再装置１は、ステップＳ３０５で通知が「格納可能」だった場合にはステップＳ３０６へ進み、「格納不可能」だった場合にはステップＳ３０１へ戻り、次の転送候補となるコンテンツを探す。
【００６２】
ステップＳ３０６に進むと、次に据置き録再装置１は、対象となるコンテンツデータファイルを携帯再生装置２に転送する。正確には、ＨＤ１０４上にもとのコンテンツデータファイルは残っているのでコピー転送となる。
【００６３】
コンテンツデータファイルを受け取った携帯再生装置２は、ステップＳ３０７で転送されてきたコンテンツデータファイルをＨＤ２０４に格納する。そして、次にステップＳ３０８で、コンテンツ情報ファイルをＨＤ２０４に作成し、ステップＳ３０３で通知された、エントリ番号、優先度をそれぞれ (C1)エントリ番号 、 (C2)優先度 に設定し、 (C3)視聴状況 を「未視聴」に設定する。
【００６４】
次に据置き録再装置１は、ステップＳ３０９で、転送したコンテンツのコンテンツ情報ファイルの (c1)コンテンツ格納場所 を「据置き録再装置１」から「据置き録再装置１と携帯再生装置２」に更新し、ステップＳ３０１に戻る。
【００６５】
以上述べたように、本実施形態では、携帯再生装置２でコンテンツ再生が行なわれると、その再生状況にしたがって対応するコンテンツ情報ファイルの (C3)視聴状況 、 (C4)視聴ポイント、及び最終視聴コンテンツ情報ファイルを適切に更新する。そして、携帯再生装置２が据置き録再装置１に接続されると、まず携帯再生装置２から各コンテンツ情報ファイル及び最終視聴コンテンツ情報ファイルの内容を転送することで据置き録再装置１のコンテンツ管理情報を最新の状態に更新し、もし携帯再生装置２であるコンテンツが視聴途中だった場合には、据置き録再装置１でそのコンテンツと同じ物を選択し、視聴途中のフレーム位置までシークした状態とし、その静止画、コンテンツ情報などを表示してユーザに視聴を継続するかどうかの選択を促し、継続する選択がなされた場合には視聴途中の位置から再生を再開することが可能となる。
【００６６】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６７】
この場合、記憶媒体から読み出されたプログラムコード自体が上述した実施形態の機能を実現することになり、プログラムコード自体及びそのプログラムコードを記憶した記憶媒体は本発明を構成することになる。
【００６８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６９】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００７１】
【図１】実施形態の録画再生装置のハードウェア構成図である。
【図２】録画予約管理テーブルを説明するための図である。
【図３】コンテンツ管理テーブルを説明するための図である。
【図４】コンテンツ管理情報更新処理の流れを示したフローチャートである。
【図５】コンテンツの継続再生処理の流れを示したフローチャートである。
【図６】コンテンツの自動転送処理の流れを示したフローチャートである。
【符号の説明】
【００７２】
１                据置き録再装置
２                携帯再生装置
３                通信ケーブル
１０１            ＣＰＵ
１０２            ＲＯＭ
１０３            ＲＡＭ
１０４            大容量ＨＤ
１０５            システムバス
１０６            通信装置
１０７            スピーカー
１０８            サウンドコントローラ
１０９            ディスプレイ
１１０            ビデオコントローラ
１１１            入力デバイス
１１２            チューナーユニット
１１３            キャプチャユニット
２０１            ＣＰＵ
２０２            ＲＯＭ
２０３            ＲＡＭ
２０４            小容量ＨＤ
２０５            システムバス
２０６            通信装置
２０７            ヘッドホン
２０８            サウンドコントローラ
２０９            小型ディスプレイ
２１０            ビデオコントローラ
２１１            入力デバイス
【図１】
2005159439.tif 000003
【図２】
2005159439.tif 000004
【図３】
2005159439.tif 000005
【図４】
2005159439.tif 000006
【図５】
2005159439.tif 000007
【図６】
2005159439.tif 000008